(57)【要約】【課題】ユーザに次のコンテンツの閲覧要求のための操作をさせるだけで、直前に配信したコンテンツに対する評価も受け取ることができるようにする。【解決手段】コンテンツ配信サーバ１は、各コンテンツの内容を、コンテンツＩＤ及びコンテンツに対する評価と対応付けて記憶する。そして、閲覧端末３に配信するコンテンツのリストを作成し、当該リストに含まれる第１のコンテンツの内容と、次のコンテンツの閲覧要求を通知可能な２以上のボタンとを含む画面構成情報を作成して当該閲覧端末３に送信する。そして、閲覧端末３から選択情報を受信した場合には、前記リストに基づいて、次順の第２のコンテンツの内容と、次のコンテンツの閲覧要求を通知可能な２以上のボタンとを含む画面構成情報を作成し、当該閲覧端末３に送信する。また、受信したボタンの選択情報に基づいて、第１のコンテンツに対する評価を更新する。【選択図】図１
2008071238.tif 000002
【特許請求の範囲】
【請求項１】
ネットワークに接続され、端末との間で通信可能なコンテンツ配信サーバであって、
各コンテンツの内容を、コンテンツを識別可能なコンテンツＩＤ、及びコンテンツに対する評価と対応付けて記憶する第１の記憶手段と、
前記端末に配信するコンテンツのコンテンツＩＤリストを作成するリスト作成手段と、
前記コンテンツＩＤリストに含まれるコンテンツＩＤに対応する第１のコンテンツの内容を前記第１の記憶手段から読み出し、読み出した第１のコンテンツの内容と、次のコンテンツの閲覧要求を通知可能な２以上の選択肢とを前記端末の画面に表示させるための画面構成情報を、前記端末に送信する第１の送信手段と、
前記２以上の選択肢のうちのいずれの選択肢が選択されたのかを示す選択情報を、前記端末から受信する受信手段と、
前記選択情報を受信した場合に、前記コンテンツＩＤリストに基づいて次順のコンテンツＩＤに対応する第２のコンテンツの内容を前記第１の記憶手段から読み出し、読み出した第２のコンテンツの内容と、次のコンテンツの閲覧要求を通知可能な２以上の選択肢とを前記端末の画面に表示させるための画面構成情報を、前記端末に送信する第２の送信手段と、
前記受信した選択情報に基づいて、前記第１のコンテンツに対する評価を更新する評価更新手段と、
を備えることを特徴とするコンテンツ配信サーバ。
【請求項２】
前記コンテンツ配信サーバは、前記ネットワークを経由して複数の端末との間で通信が可能であり、
前記評価更新手段は、前記端末から選択情報を受信する毎に、前記コンテンツに対する評価を更新し、
前記リスト作成手段は、前記コンテンツに対する評価に従って前記コンテンツの配信順位を決定し、決定した配信順位をもとにコンテンツＩＤリストを作成することを特徴とする請求項１に記載のコンテンツ配信サーバ。
【請求項３】
ユーザを識別可能なユーザＩＤ毎に、各ユーザの既読コンテンツのコンテンツＩＤを対応付けた既読リストを記憶する第２の記憶手段と、
前記受信手段により選択情報を受信した場合に、前記第１のコンテンツのコンテンツＩＤを前記既読リストに追加する既読更新手段と、
を備え、
前記リスト作成手段は、前記第２の記憶手段から各ユーザの既読リストを読み出し、前記第１の記憶手段に記憶されている全てのコンテンツＩＤから既読コンテンツのコンテンツＩＤを除いたコンテンツＩＤからなる各ユーザの未読のコンテンツＩＤリストを作成することを特徴とする請求項１又は２に記載のコンテンツ配信サーバ。
【請求項４】
前記リスト作成手段は、コンテンツＩＤリストを作成する際に、所定のキーワードを本文又はタイトルに含むコンテンツを抽出し、抽出したコンテンツをもとにコンテンツＩＤリストを作成することを特徴とする請求項１乃至３のいずれか一項に記載のコンテンツ配信サーバ。
【請求項５】
前記第１の記憶手段には、各コンテンツＩＤに関して対応するコンテンツ内容に基づくジャンルを示すジャンルＩＤがさらに記憶され、
前記リスト作成手段は、コンテンツＩＤリストを作成する際に、所定のジャンルＩＤが含まれるコンテンツを抽出し、抽出したコンテンツをもとにコンテンツＩＤリストを作成することを特徴とする請求項１乃至４のいずれか一項に記載のコンテンツ配信サーバ。
【請求項６】
前記第１の記憶手段は、前記ネットワークを経由して接続される端末のユーザが記載したコンテンツ内容を記憶する手段であって、各コンテンツＩＤに関して対応するコンテンツ内容を記載したユーザのユーザＩＤがさらに記憶されており、
前記リスト作成手段は、前記端末のユーザと予め関連付けられている他のユーザによって記載されたコンテンツを抽出し、抽出したコンテンツをもとにコンテンツＩＤリストを作成することを特徴とする請求項１乃至５のいずれか一項に記載のコンテンツ配信サーバ。
【請求項７】
ネットワークに接続され、端末との間で通信可能なコンテンツ配信サーバであって、各コンテンツの内容を、コンテンツを識別可能なコンテンツＩＤ、及びコンテンツに対する評価と対応付けて記憶する第１の記憶手段を具備するコンテンツ配信サーバを用いてコンテンツを配信するコンテンツ配信方法であって、
前記端末に配信するコンテンツのコンテンツＩＤリストを作成するステップと、
前記コンテンツＩＤリストに含まれるコンテンツＩＤに対応する第１のコンテンツの内容を前記第１の記憶手段から読み出し、読み出した第１のコンテンツの内容と、次のコンテンツの閲覧要求を通知可能な２以上の選択肢とを前記端末の画面に表示させるための画面構成情報を、前記端末に送信するステップと、
前記２以上の選択肢のうちのいずれの選択肢が選択されたのかを示す選択情報を、前記端末から受信するステップと、
前記選択情報を受信した場合に、前記コンテンツＩＤリストに基づいて次順のコンテンツＩＤに対応する第２のコンテンツの内容を前記第１の記憶手段から読み出し、読み出した第２のコンテンツの内容と、次のコンテンツの閲覧要求を通知可能な２以上の選択肢とを前記端末の画面に表示させるための画面構成情報を、前記端末に送信するステップと、
前記受信した選択情報に基づいて、前記第１のコンテンツに対する評価を更新するステップと、
を含むことを特徴とするコンテンツ配信方法。
【請求項８】
ネットワークに接続され、端末との間で通信可能なコンテンツ配信サーバであって、各コンテンツの内容を、コンテンツを識別可能なコンテンツＩＤ、及びコンテンツに対する評価と対応付けて記憶する第１の記憶手段を具備するコンテンツ配信サーバのコンピュータを、
前記端末に配信するコンテンツのコンテンツＩＤリストを作成するリスト作成手段、
前記コンテンツＩＤリストに含まれるコンテンツＩＤに対応する第１のコンテンツの内容を前記第１の記憶手段から読み出し、読み出した第１のコンテンツの内容と、次のコンテンツの閲覧要求を通知可能な２以上の選択肢とを前記端末の画面に表示させるための画面構成情報を、前記端末に送信する第１の送信手段、
前記２以上の選択肢のうちのいずれの選択肢が選択されたのかを示す選択情報を、前記端末から受信する受信手段、
前記選択情報を受信した場合に、前記コンテンツＩＤリストに基づいて次順のコンテンツＩＤに対応する第２のコンテンツの内容を前記第１の記憶手段から読み出し、読み出した第２のコンテンツの内容と、次のコンテンツの閲覧要求を通知可能な２以上の選択肢とを前記端末の画面に表示させるための画面構成情報を、前記端末に送信する第２の送信手段、
前記受信した選択情報に基づいて、前記第１のコンテンツに対する評価を更新する評価更新手段、
として機能させるためのコンテンツ配信プログラム。
【請求項９】
前記コンテンツ配信サーバは、前記ネットワークを経由して複数の端末との間で通信が可能であり、
前記評価更新手段が、前記端末から選択情報を受信する毎に、前記コンテンツに対する評価を更新するように前記コンピュータを機能させ、
前記リスト作成手段が、前記コンテンツに対する評価に従って前記コンテンツの配信順位を決定し、決定した配信順位をもとにコンテンツＩＤリストを作成するように前記コンピュータを機能させるための請求項８に記載のコンテンツ配信プログラム。
【請求項１０】
前記コンテンツ配信サーバは、ユーザを識別可能なユーザＩＤ毎に、各ユーザの既読コンテンツのコンテンツＩＤを対応付けた既読リストを記憶する第２の記憶手段を具備し、
前記受信手段により選択情報を受信した場合に、前記第１のコンテンツのコンテンツＩＤを前記既読リストに追加する既読更新手段、として前記コンピュータを機能させ、
前記リスト作成手段が、前記第２の記憶手段から各ユーザの既読リストを読み出し、前記第１の記憶手段に記憶されている全てのコンテンツＩＤから既読コンテンツのコンテンツＩＤを除いたコンテンツＩＤからなる各ユーザの未読のコンテンツＩＤリストを作成するように前記コンピュータを機能させるための請求項８又は９に記載のコンテンツ配信プログラム。
【請求項１１】
前記リスト作成手段が、コンテンツＩＤリストを作成する際に、所定のキーワードを本文又はタイトルに含むコンテンツを抽出し、抽出したコンテンツをもとにコンテンツＩＤリストを作成するように前記コンピュータを機能させるための請求項８乃至１０のいずれか一項に記載のコンテンツ配信プログラム。
【請求項１２】
前記第１の記憶手段には、各コンテンツＩＤに関して対応するコンテンツ内容に基づくジャンルを示すジャンルＩＤがさらに記憶され、
前記リスト作成手段が、コンテンツＩＤリストを作成する際に、所定のジャンルＩＤが含まれるコンテンツを抽出し、抽出したコンテンツをもとにコンテンツＩＤリストを作成するように前記コンピュータを機能させるための請求項８乃至１１のいずれか一項に記載のコンテンツ配信プログラム。
【請求項１３】
前記第１の記憶手段は、前記ネットワークを経由して接続される端末のユーザが記載したコンテンツ内容を記憶する手段であって、各コンテンツＩＤに関して対応するコンテンツ内容を記載したユーザのユーザＩＤがさらに記憶されており、
前記リスト作成手段が、前記端末のユーザと予め関連付けられている他のユーザによって記載されたコンテンツを抽出し、抽出したコンテンツをもとにコンテンツＩＤリストを作成するように前記コンピュータを機能させるための請求項８乃至１２のいずれか一項に記載のコンテンツ配信プログラム。
【発明の詳細な説明】
【技術分野】
【０００１】
本発明は、端末から送信された閲覧要求に応じて記事等のコンテンツを配信するコンテンツ配信サーバ、コンテンツ配信方法及びコンテンツ配信プログラムに関し、特に端末側において閲覧要求操作をするだけでサーバ側でコンテンツに対する評価も取得可能なコンテンツ配信サーバ、コンテンツ配信方法及びコンテンツ配信プログラムに関する。
【背景技術】
【０００２】
従来、Webページに記載された記事等のコンテンツに対する評価を収集するためには、コンテンツを閲覧した者（ユーザ）が「面白い」という感想を送信するための「面白い」ボタン又は「つまらない」という感想を送信するための「つまらない」ボタンを押し下げることによってコンテンツに対する評価を入力する必要があった（例えば、特許文献１参照）。
【０００３】
また、ユーザにWebページコンテンツを評価させて持ち点数内で評価ポイント数を入力させ、サーバは、評価ポイント数を集計し、評価ポイント数の高いWebページコンテンツの提供者に使用料金の割引サービス特典を提供する技術も開示されている（例えば、特許文献２参照）。
【０００４】
また、Webページコンテンツに対する評価の送信を促して、評価ポイントを集計する技術も開示されている（例えば、特許文献３参照）。
【０００５】
さらに、掲示板データを整理するための操作に基づいて各データの重要度を判定し、掲示板の表示に反映させる技術も開示されている（例えば、特許文献４参照）。
【特許文献１】特開２００３−３０１０５号公報
【特許文献２】特開２００５−２５８５５０号公報
【特許文献３】特開２００４−３１８４０４号公報
【特許文献４】特開２００６−１８６４６号公報
【発明の開示】
【発明が解決しようとする課題】
【０００６】
従来のコンテンツ閲覧システム等では、未読のWebページコンテンツを表示させるためには、既読のWebページコンテンツが表示されている画面中に表示されている「次へ」ボタンなどをクリックする必要があった。また、このような既読コンテンツから未読コンテンツへの切り替え操作とは別に、既読のWebページコンテンツに対する評価を閲覧者から送信してもらうためには、「面白い」ボタン又は「つまらない」ボタンなどをクリックしてもらう必要があった。つまり、既読コンテンツから未読コンテンツへの切り替え操作とは別に評価のための操作が必要なため、閲覧者は評価のための操作を煩わしいと感じ、その結果、閲覧されている数は多くても評価の数は少なかった。つまり、評価の回答率が低かった。
【０００７】
そこで、本発明は、Webページコンテンツに対する評価を収集するための独立した操作をユーザに要求することなく、Webページコンテンツに対する評価を収集可能なコンテンツ配信サーバ、コンテンツ配信方法及びコンテンツ配信プログラムを提供することを目的とする。
【課題を解決するための手段】
【０００８】
本発明の第１の特徴は、ネットワークに接続され、端末との間で通信可能なコンテンツ配信サーバであって、各コンテンツの内容を、コンテンツを識別可能なコンテンツＩＤ、及びコンテンツに対する評価と対応付けて記憶する第１の記憶手段と、前記端末に配信するコンテンツのコンテンツＩＤリストを作成するリスト作成手段と、前記コンテンツＩＤリストに含まれるコンテンツＩＤに対応する第１のコンテンツの内容を前記第１の記憶手段から読み出し、読み出した第１のコンテンツの内容と、次のコンテンツの閲覧要求を通知可能な２以上の選択肢とを前記端末の画面に表示させるための画面構成情報を、前記端末に送信する第１の送信手段と、前記２以上の選択肢のうちのいずれの選択肢が選択されたのかを示す選択情報を、前記端末から受信する受信手段と、前記選択情報を受信した場合に、前記コンテンツＩＤリストに基づいて次順のコンテンツＩＤに対応する第２のコンテンツの内容を前記第１の記憶手段から読み出し、読み出した第２のコンテンツの内容と、次のコンテンツの閲覧要求を通知可能な２以上の選択肢とを前記端末の画面に表示させるための画面構成情報を、前記端末に送信する第２の送信手段と、前記受信した選択情報に基づいて、前記第１のコンテンツに対する評価を更新する評価更新手段と、を備えることにある。
【０００９】
「端末」とは、例えば、ウェブブラウジング機能を有する携帯電話、ＰＨＳ（Personal Handy-phone System）、ＰＤＡ（Personal Digital Assistant）、パーソナルコンピュータを意味する。
【００１０】
「コンテンツの閲覧要求を通知可能な２以上の選択肢」とは、例えば、端末の画面に表示され、マウスなどのポインティングデバイスを用いてクリックされると、コンテンツの閲覧要求をコンテンツ配信サーバへ送信可能なボタンにより実現できる。なお、選択肢の数は「２」に限定されない。選択肢の数は「３」以上であっても良い。選択肢の数が多くなれば細かな評価が可能となる。つまり、選択肢の数が「２」の場合はコンテンツを２段階で評価することになるが、選択肢の数が「３」の場合はコンテンツを３段階で評価することが可能となる。
【００１１】
「画面構成情報」とは、端末の画面に「コンテンツの内容」及び２以上の「コンテンツの閲覧要求を通知可能な選択肢」を表示するためのＨＴＭＬ（HyperText Markup Language）、ＣＨＴＭＬ（Compact HTML）などを意味する。
【００１２】
なお、一つの送信手段が「第１の送信手段」として機能し、かつ「第２の送信手段」として機能しても良い。
【００１３】
本発明の第２の特徴は、コンテンツ配信サーバは、ネットワークを経由して複数の端末との間で通信が可能であり、評価更新手段は、端末から選択情報を受信する毎に、コンテンツに対する評価を更新し、リスト作成手段は、コンテンツに対する評価に従ってコンテンツの配信順位を決定し、決定した配信順位をもとにコンテンツＩＤリストを作成することにある。
【００１４】
コンテンツ配信サーバは、同一のコンテンツが画面に表示された複数の端末から、閲覧要求を通知可能な２以上の選択肢のうちのどの選択肢が選択されたのかを示す情報（選択情報）を受信可能である。例えば、コンテンツａが画面に表示された端末ａからどの選択肢が選択されたのかを示す選択情報を受信することができ、またコンテンツａが画面に表示された端末ｂからどの選択肢が選択されたのかを示す選択情報を受信することもできる。そして、例えば、コンテンツ配信サーバは、２以上の選択肢のうちの第１の選択肢が選択されたという選択情報を受信したら、コンテンツａに対する評価ポイントを増加させる。一方、コンテンツ配信サーバは、第２の選択肢が選択されたという選択情報を受信したら、コンテンツａに対する評価ポイントを減少させる。
【００１５】
本発明の第３の特徴は、ユーザを識別可能なユーザＩＤ毎に、各ユーザの既読コンテンツのコンテンツＩＤを対応付けた既読リストを記憶する第２の記憶手段と、受信手段により選択情報を受信した場合に、第１のコンテンツのコンテンツＩＤを既読リストに追加する既読更新手段と、を備え、リスト作成手段は、第２の記憶手段から端末のユーザの既読リストを読み出し、第１の記憶手段に記憶されている全てのコンテンツＩＤから既読コンテンツのコンテンツＩＤを除いたコンテンツＩＤからなる各ユーザの未読のコンテンツＩＤリストを作成することにある。
【００１６】
一つの記憶手段が「第１の記憶手段」として機能し、かつ「第２の記憶手段」として機能しても良い。
【００１７】
「第２の記憶手段から各ユーザの既読リストを読み出し、第１の記憶手段に記憶されている全てのコンテンツＩＤから既読コンテンツのコンテンツＩＤを除いたコンテンツＩＤからなる各ユーザの未読のコンテンツＩＤリスト」は、例えば、全てのコンテンツＩＤがc00〜c05であって、端末のユーザのユーザＩＤに対応付けられた既読コンテンツのコンテンツＩＤがc00,c02,c04であるとすると、c01,c03,c05の各コンテンツＩＤで構成される。
【００１８】
本発明の第４の特徴は、リスト作成手段は、コンテンツＩＤリストを作成する際に、所定のキーワードを本文又はタイトルに含むコンテンツを抽出し、抽出したコンテンツをもとにコンテンツＩＤリストを作成することにある。
【００１９】
本発明の第５の特徴は、第１の記憶手段には、各コンテンツＩＤに関して対応するコンテンツ内容に基づくジャンルを示すジャンルＩＤがさらに記憶され、リスト作成手段は、コンテンツＩＤリストを作成する際に、所定のジャンルＩＤが含まれるコンテンツを抽出し、抽出したコンテンツをもとにコンテンツＩＤリストを作成することにある。
【００２０】
本発明の第６の特徴は、第１の記憶手段には、各コンテンツＩＤに関して対応するコンテンツ内容のコンテンツを記載したユーザのユーザＩＤがさらに記憶され、リスト作成手段は、端末のユーザと予め関連付けられている他のユーザによって記載されたコンテンツを抽出し、抽出したコンテンツをもとにコンテンツＩＤリストを作成することにある。
【００２１】
ここで、「記載」とは、コンテンツを投稿すること又は更新することを意味する。
例えば、第１ユーザ〜第９ユーザのうち第２ユーザ、第４ユーザ及び第６ユーザが第１ユーザと予め関連付けられているとする。このような場合、コンテンツ配信サーバは、第１ユーザの端末から閲覧要求を受信すると、第２ユーザ、第４ユーザ又は第６ユーザによって記載されたコンテンツ（例えば、日記）だけを抽出してコンテンツＩＤリストを作成する。第３ユーザ、第５ユーザ、第７ユーザ又は第９ユーザによって記載されたコンテンツは、コンテンツＩＤリストには含まれない。
【発明の効果】
【００２２】
本発明によれば、第１のコンテンツと、次のコンテンツの閲覧要求を通知可能な２以上の選択肢とが、端末の画面に表示され、端末においていずれかの選択肢が選択されると、当該選択肢された選択肢を示す選択情報が端末からコンテンツ配信サーバに通知される。コンテンツ配信サーバは、選択情報を受信すると、操作された選択肢の種類に応じた評価を更新する。これによって、次のコンテンツの閲覧を要求するための操作と、端末の画面に現在表示されているコンテンツを評価するための操作とを別々に実行する必要が無くなる。現在表示されているコンテンツを評価するための操作をするだけで、次のコンテンツの閲覧要求をコンテンツ配信サーバに送信することが可能となる。又は、次のコンテンツの閲覧を要求するための操作をするだけで、端末の画面に現在表示されているコンテンツに対する評価をコンテンツ配信サーバに送信することが可能となる。
【発明を実施するための最良の形態】
【００２３】
以下、添付図面を参照して、本発明を実施するための最良の形態を説明する。なお、以下の説明は、単なる例示に過ぎず、本発明の技術的範囲は以下の説明に限定されるものではない。本実施の形態によるコンテンツ配信システムにおいては、コンテンツ配信サーバは、Ｗｅｂページを閲覧可能な端末である閲覧端末からインターネットを経由してコンテンツの閲覧要求を受信すると、要求元である閲覧端末へコンテンツを含む画面構成情報を送信する。画面構成情報を受信した閲覧端末の画面には、コンテンツ評価機能と次のコンテンツの閲覧要求機能を兼ね備えた選択肢として２種類の第１ボタン及び第２ボタンが表示される。閲覧端末の画面に表示されたコンテンツを閲覧したユーザは、第１ボタン又は第２ボタンをクリックする。第１ボタン又は第２ボタンがクリックされると、いずれのボタンがクリックされたかが閲覧端末からインターネットを経由してコンテンツ配信サーバへ通知される。いずれのボタンがクリックされたかが通知されると、コンテンツ配信サーバは次のコンテンツを含む画面構成情報を携帯端末へ送信すると共に、閲覧端末から通知された第１のボタン又は第２のボタンのいずれかに対応する評価を記憶手段に蓄積する。
【００２４】
図１に、本発明の一実施の形態におけるコンテンツ閲覧システムの全体構成の一例を示す。
【００２５】
閲覧端末３は、例えばユーザが所有する携帯電話機であって、図示せぬ基地局を通じてパケット網５との間で無線通信を行い、ゲートウェイサーバ４及びインターネット２を経由してコンテンツ配信サーバとしての記事配信サーバ１にアクセスし、記事（コンテンツ）の閲覧を要求することができる。閲覧端末３の記憶部には、記事閲覧処理を実現するための記事閲覧プログラムが格納される。記事閲覧プログラムには、Opera Mobile（登録商標）やInternet Explorer Mobile（登録商標）などのＷｅｂブラウザが含まれる。記事はＣＨＴＭＬで記述される。また、閲覧端末３は、受信した記事等を表示可能な液晶画面３１と、液晶画面３１に表示されたボタンを選択しクリック等するために操作されるキー群３２とを備える。
【００２６】
図２に、本発明の実施形態における記事配信サーバ１の構成の一例を示す。図２に示すように、記事配信サーバ１は記憶部１１、処理部１２、通信部１３、記事が投稿され又は更新（以下、これらを包括して適宜「記載」という。）された日時を記録するため等に用いられる時計部１４等を備える。
【００２７】
記憶部１１には、ＯＳ（Operating System）１１０、記事配信プログラム１１１、ユーザ情報１１２、記事ＤＢ１１３及び既読リスト１１４が記憶されている。この記憶部１１は、例えばＨＤＤ（Hard Disk Drive）、ＲＡＭ（Random Access Memory）などである。
【００２８】
記事配信プログラム１１１は、閲覧端末３からの要求に応じて記事を配信するためのプログラムであって、処理部１２は、記事配信プログラム１１１に従って以下の処理を実行する。すなわち、（１）閲覧端末３から発信された記事閲覧要求を受け取ると、その記事閲覧要求に含まれているユーザＩＤを抽出する。（２）そして、既読リスト１１４を参照し、抽出したユーザＩＤに関する未読コンテンツの記事ＩＤを特定する。（３）さらに、特定した記事ＩＤに対応する記事を記事ＤＢ１１３から読み出し、通信部１３及びインターネット２を経由して閲覧端末３へ送信する。
【００２９】
また、ユーザ情報１１２として、ユーザＩＤと対応付けて、ユーザ名、メールアドレスや年齢等の登録情報、友達のユーザＩＤ等が登録されている。
【００３０】
図３に、本発明の実施形態における記事ＤＢ１１３の一例を示す。図３に示すように、記事ＤＢ１１３は記事ＩＤ、記事の内容、記事に対する評価、記事の記載日時、及び記事を記載したユーザのＩＤ（記載者ＩＤ）を含む。評価は「おもしろい」又は「ふつう」の２段階評価とする。記事は、ジャンル毎又はコンテンツを書いたユーザ毎（日記毎）に登録しても良い。具体的には、例えば、「ニュース」「スポーツ」「音楽」といった各ジャンルに、固有のジャンルＩＤ予め割り当てておき、記事を、その内容に応じたジャンルＩＤと対応付けて登録することとしてもよい。
【００３１】
なお、図３に示す記事ＤＢ１１３では「おもしろい」又は「ふつう」のいずれの評価がなされた場合も、その評価を記録するとしている。しかし、「おもしろい」と評価された回数のみを記事ＤＢ１１３に記録するとしても良い。つまり、「おもしろい」と評価された場合は評価欄にポイントが加算され、「ふつう」と評価された場合は記事に対する評価は何も変化しないとしても良い。
【００３２】
また、評価は２段階に限定されない。評価は３段階以上であっても良い。例えば３段階評価とした場合、「おもしろい」なら３ポイント、「ふつう」なら１ポイント、「つまらない」なら−１ポイントを加算することによって評価を更新していくこととしても良い。
【００３３】
図４に、本発明の実施形態における既読リスト１１４の一例を示す。既読リスト１１４はユーザ毎に作成される。図４に示すように、既読リスト１１４はユーザＩＤと既読記事の記事ＩＤとを含む。記事ＤＢ１１３に記憶されている全ての記事ＩＤから、ユーザＡに関する既読リスト１１４に記憶されている記事ＩＤを除くことによって、ユーザＡに関する未読リストを作成することができる。
【００３４】
図５は、本発明の実施形態における記事配信サーバ１及び閲覧端末３における処理の流れの一例を示すフローチャートであり、記事配信サーバ１では記事配信プログラム１１１に従って記事配信処理が、閲覧端末３では記事閲覧プログラムに従って記事閲覧処理が実行される。図５に示すように、閲覧端末３において記事の閲覧開始操作が為されると、閲覧端末３から記事配信サーバ１へ記事閲覧要求が通知される（ステップＳ１０１）。
【００３５】
記事配信サーバ１は、記事閲覧要求を受け取ると、記事閲覧要求と共に通知されるユーザＩＤに関する未読リストを作成する（ステップＳ２０１）。そして、記事配信サーバ１は作成した未読リストの最上段の記事ＩＤに対応する記事を記事ＤＢ１１３から読み出し、読み出した記事と、次のコンテンツの閲覧要求を通知可能な選択肢であるボタンとを記事閲覧要求を通知してきた閲覧端末３の液晶画面３１に表示させるための画面構成情報を、当該閲覧端末３へ配信する（ステップＳ２０３）。
【００３６】
閲覧端末３は、記事配信サーバ１から画面構成情報受信したら、Webブラウザを用いて閲覧端末３の液晶画面３１に記事を含む画面を表示し（ステップＳ１０３）、画面上のボタンによって次の記事を閲覧するための操作を受け付ける。そして、受け付けた場合（ステップＳ１０４でYES）はステップＳ１０５へ、次の記事を閲覧するための操作を受け付けなかった場合（ステップＳ１０４でNO）はステップＳ１０９へ進む。
【００３７】
ステップＳ１０５では、閲覧端末３は、操作されたボタンの種類及び閲覧中の記事ＩＤと併せて、次の記事の閲覧要求を記事配信サーバ１へ通知する。次の記事の閲覧要求のために操作されるボタンは、閲覧端末３の画面に表示されているボタンであって、画面に表示されている記事に対する評価を記事配信サーバ１へ送信するためのものである。２段階評価（「おもしろい」又は「ふつう」）の場合、閲覧要求のために操作されるボタンは２種類表示される。３段階で評価する場合は、閲覧要求のために操作されるボタンは３種類表示されることとなる。
【００３８】
ステップＳ２０５では、記事配信サーバ１は、未読リストに従い記事ＤＢ１１３から次順の記事を読み出し、読み出した次順の記事と、次のコンテンツの閲覧要求を通知可能なボタンとを記事閲覧要求を通知してきた閲覧端末３の液晶画面３１に表示させるための画面構成情報を、当該閲覧端末３へ配信する。具体的には、記事配信サーバ１は、次の記事の閲覧要求と共に通知された閲覧者のユーザＩＤ及び閲覧中の記事の記事ＩＤに基づいて、そのユーザＩＤに関する未読リストにおいてその記事ＩＤの次にリストアップされている記事ＩＤに対応する記事を記事ＤＢ１１３から読み出し、当該記事閲覧要求を通知してきた閲覧端末３に送信する。なお、記事配信サーバ１は、次の記事の閲覧要求と共に、次の記事の閲覧要求のために操作されたボタンの種類も受け取る。前記の如く、記事の内容を２段階で評価する場合は、ボタンは２種類である。
【００３９】
ステップＳ２０７では、通知されたボタンの種類及び記事ＩＤに基づいて該当記事の評価を更新する。具体的には、通知されたボタンの種類が「おもしろい」という評価に関連付けられたボタン（以下「おもしろい」ボタンと言う。）の場合、記事ＤＢ１１３の該当記事の「おもしろい」欄に１ポイントが加算される。一方、通知されたボタンの種類が「ふつう」という評価に関連付けられたボタン（以下「ふつう」ボタンと言う。）の場合、記事ＤＢ１１３の該当記事の「ふつう」欄に１ポイントが加算される。
【００４０】
ステップＳ２０９では、当該ユーザの既読リスト１１４を更新する。具体的には、通知されたユーザＩＤに対応する既読リスト１１４の「既読の記事ＩＤ」に通知された記事ＩＤが追加される。
【００４１】
そして、閲覧端末３から閲覧終了が通知されたら（ステップＳ２１１でYES）、記事配信処理を終了する。一方、閲覧端末３から閲覧終了が通知されなかったら、次の記事の閲覧要求の通知を待つ。
【００４２】
ステップＳ１０７では、閲覧端末３は、記事配信サーバ１から配信された記事を受信したら、Webブラウザを用いて閲覧端末３の画面に受信した記事を表示する。
【００４３】
ステップＳ１０９で閲覧端末３において閲覧終了の操作がなされたら、ステップＳ１１１で閲覧端末３から記事配信サーバ１へ閲覧終了を通知する。
【００４４】
図６は本実施の形態における閲覧端末３の液晶画面３１の遷移を説明するための第１例である。記事配信サーバ１の記憶部１１にはユーザａのユーザ情報１１２として、閲覧したい記事は「Ａ子さんの日記」と記憶されているとする。
【００４５】
そして、ユーザａが閲覧端末３ａを用いて記事配信サーバ１に記事閲覧要求を通知すると、記事配信サーバ１は「Ａ子さんの日記」であって、ユーザａがまだ閲覧していない記事のリスト（第１未読リスト）を作成する。さらに、記事配信サーバ１は作成された第１未読リストの最上段の記事ａの内容と「おもしろい」ボタン６１３と「ふつう」ボタン６１５を含む画面６１１を、閲覧端末３ａの液晶画面３１に表示するためのＣＨＴＭＬファイルを閲覧端末３ａに送信する。閲覧端末３ａがこのＣＨＴＭＬファイルを受信すると、画面６１１が液晶画面３１に表示される。
【００４６】
図９に、画面６１１のソースコードの一例を示す。同図に示すように、「おもしろい」ボタン６１３のソースコード９１３の一例は以下のとおりである。
<A href="http://www.yyy.zzz/reader/eid/4e8ffca2dea6610919e3e1b424850998?read=ae2356d74285e9895fa415b520991405&omoshiro=1">おもしろい</a>
【００４７】
ユーザａが「おもしろい」ボタン６１３にカーソルを移動させ、クリックすると「おもしろい」ボタン６１３がクリックされた旨が記事配信サーバ１に通知される。
【００４８】
記事配信サーバ１は「おもしろい」ボタン６１３がクリックされた旨を通知されると、ユーザａの第１未読リストにおいて記事ａの次にリストアップされている記事ｂの内容と「おもしろい」ボタン６１３と「ふつう」ボタン６１５を含む画面６２１を、閲覧端末３ａの液晶画面３１に表示するためのＣＨＴＭＬファイルを閲覧端末３ａに送信する。閲覧端末３ａがこのＣＨＴＭＬファイルを受信すると、画面６２１が液晶画面３１に表示される。
【００４９】
そして、記事配信サーバ１は、記事ＤＢ１１３の記事ａに関する評価欄の「おもしろい」の部分にポイントを加える。
【００５０】
次に、ユーザａが記事ｂを閲覧し「ふつう」ボタン６１５にカーソルを移動させ、クリックすると「ふつう」ボタン６１５がクリックされた旨が記事配信サーバ１に通知される。
【００５１】
図１０に、画面６２１のソースコードの一例を示す。同図に示すように、「ふつう」ボタン６１５のソースコード９１５の一例は以下のとおりである。
<A href="http://www.yyy.zzz/reader/eid/4e8ffca2dea6610919e3e1b424850998?read=ae2356d74285e9895fa415b520991405&futsu=1">ふつう</a>
【００５２】
記事配信サーバ１は「ふつう」ボタン６１５がクリックされた旨を通知されると、ユーザａの第１未読リストにおいて記事ａの次にリストアップされている記事ｃと「おもしろい」ボタン６１３と「ふつう」ボタン６１５を含む画面６３１を、閲覧端末３ａの液晶画面３１に表示するためのＣＨＴＭＬファイルを閲覧端末３ａに送信する。閲覧端末３ａがこのＣＨＴＭＬファイルを受信すると、画面６３１が液晶画面３１に表示される。
【００５３】
そして、記事配信サーバ１は、記事ＤＢ１１３の記事ｂに関する評価欄の「ふつう」の部分にポイントを加える。
【００５４】
図７は本実施の形態における閲覧端末３の液晶画面３１の遷移例を説明するための第２例である。記事配信サーバ１の記憶部１１にはユーザａのユーザ情報１１２として、閲覧したい記事は『「花火」というキーワードを含む記事』と記憶されているとする。
【００５５】
そして、ユーザａが閲覧端末３ａを用いて記事配信サーバ１に記事閲覧要求を通知すると、記事配信サーバ１はタイトル又は本文に「花火」というキーワードを含む記事であって、ユーザａがまだ閲覧していない記事のリスト（第２未読リスト）を作成する。さらに、記事配信サーバ１は作成された第２未読リストの最上段の記事ｄの内容と「おもしろい」ボタン６１３と「ふつう」ボタン６１５を含む画面７１１を、閲覧端末３ａの液晶画面３１に表示するためのＣＨＴＭＬファイルを閲覧端末３ａに送信する。閲覧端末３ａがこのＣＨＴＭＬファイルを受信すると、画面７１１が液晶画面３１に表示される。
【００５６】
ここで例えば、ユーザａが「おもしろい」ボタン６１３にカーソルを移動させ、クリックすると、「おもしろい」ボタン６１３がクリックされた旨が記事配信サーバ１に通知される。
【００５７】
記事配信サーバ１は「おもしろい」ボタン６１３がクリックされた旨を通知されると、ユーザａの第２未読リストにおいて記事ｄの次にリストアップされている記事ｅの内容と「おもしろい」ボタン６１３と「ふつう」ボタン６１５を含む画面７２１を、閲覧端末３ａの液晶画面３１に表示するためのＣＨＴＭＬファイルを閲覧端末３ａに送信する。閲覧端末３ａがこのＣＨＴＭＬファイルを受信すると、画面７２１が液晶画面３１に表示される。
【００５８】
そして、記事配信サーバ１は、記事ＤＢ１１３の記事ｄに関する評価欄の「おもしろい」の部分にポイントを加える。
【００５９】
次に、ユーザａが記事ｂを閲覧し、例えば「おもしろい」ボタン６１３にカーソルを移動させ、クリックすると「おもしろい」ボタン６１３がクリックされた旨が記事配信サーバ１に通知される。
【００６０】
記事配信サーバ１は「おもしろい」ボタン６１３がクリックされた旨を通知されると、ユーザａの第２未読リストにおいて記事ｅの次にリストアップされている記事ｆの内容と「おもしろい」ボタン６１３と「ふつう」ボタン６１５を含む画面７３１を、閲覧端末３ａの液晶画面３１に表示するためのＣＨＴＭＬファイルを閲覧端末３ａに送信する。閲覧端末３ａがこのＣＨＴＭＬファイルを受信すると、画面７３１が液晶画面３１に表示される。
【００６１】
そして、記事配信サーバ１は、記事ＤＢ１１３の記事ｅに関する評価欄の「おもしろい」の部分にポイントを加える。
【００６２】
図８は、本実施の形態における閲覧端末３の液晶画面３１の遷移例を説明するための第３例である。記事配信サーバ１の時計部１４は、記事が記載されるとその日時を記憶する。閲覧端末３から記事配信サーバ１に記事の閲覧を要求すると、友達によって投稿（記載）された記事であって、かつ投稿又は更新（記載）された日時が最も新しい記事が配信されてくる。記事配信サーバ１の記憶部１１にはユーザａのユーザ情報１１２として、閲覧したい記事は「友達の日記」と記憶され、かつ友達として少なくとも「Ｄ男」、「Ｅ子」及び「Ｆ男」というハンドル名のユーザが既に記憶されているとする。
【００６３】
具体的には、ユーザａが閲覧端末３ａを用いて記事配信サーバ１に記事閲覧要求を通知すると、記事配信サーバ１はユーザａのユーザ情報１１２に友達として登録されているユーザが書いた日記であって、ユーザａがまだ閲覧していない記事のリスト（第３未読リスト）を作成する。そして、記事配信サーバ１は、投稿又は更新（記載）日時に基づいて未読リストの記事を並べ替える。さらに、記事配信サーバ１は作成された第３未読リストの最上段の記事ｇの内容と「おもしろい」ボタン６１３と「ふつう」ボタン６１５を含む画面８１１を、閲覧端末３ａの液晶画面３１に表示するためのＣＨＴＭＬファイルを閲覧端末３ａに送信する。閲覧端末３ａがこのＣＨＴＭＬファイルを受信すると、画面８１１が液晶画面３１に表示される。
【００６４】
ここで例えば、ユーザａが「おもしろい」ボタン６１３にカーソルを移動させ、クリックすると、「おもしろい」ボタン６１３がクリックされた旨が記事配信サーバ１に通知される。
【００６５】
記事配信サーバ１は「おもしろい」ボタン６１３がクリックされた旨を通知されると、ユーザａの第３未読リストにおいて記事ｇの次にリストアップされている記事ｈの内容と「おもしろい」ボタン６１３と「ふつう」ボタン６１５を含む画面を、閲覧端末３ａの液晶画面３１に表示するためのＣＨＴＭＬファイルを閲覧端末３ａに送信する。閲覧端末３ａがこのＣＨＴＭＬファイルを受信すると、画面８２１が液晶画面３１に表示される。
【００６６】
そして、記事配信サーバ１は、記事ＤＢ１１３の記事ｇに関する評価欄の「おもしろい」の部分にポイントを加える。
【００６７】
次に、ユーザａが記事ｈを閲覧し、例えば「ふつう」ボタン６１５にカーソルを移動させ、クリックすると「ふつう」ボタン６１５がクリックされた旨が記事配信サーバ１に通知される。
【００６８】
記事配信サーバ１は「ふつう」ボタン６１５がクリックされた旨を通知されると、ユーザａの第３未読リストにおいて記事ｈの次にリストアップされている記事ｉの内容と「おもしろい」ボタン６１３と「ふつう」ボタン６１５を含む画面を、閲覧端末３ａの液晶画面３１に表示するためのＣＨＴＭＬファイルを閲覧端末３ａに送信する。閲覧端末３ａがこのＣＨＴＭＬファイルを受信すると、画面８３１が液晶画面３１に表示される。
【００６９】
そして、記事配信サーバ１は、記事ＤＢ１１３の記事ｈに関する評価欄の「ふつう」の部分にポイントを加える。
【００７０】
前記の如く、端末３においてなされた評価が記事配信サーバ１の記憶部１１の記事ＤＢ１１３に蓄積される。また、これまではユーザａが使用する閲覧端末３ａについてのみ説明したが、ユーザｂが使用する閲覧端末３ｂ、ユーザｃが使用する閲覧端末３ｃ等においても同様に評価がなされ、記事ＤＢ１１３に蓄積される。そして、このようにして蓄積された評価を未読リストにおける記事のリスト順位決定に利用するとしても良い。つまり、各ユーザの未読リストを作成する際に、他のユーザの評価に基づいて、未読リスト内における各記事の順位を決定するとしても良い。
【００７１】
例えば、
・「Ａ子さんの日記」の記事ｂは、「Ａ子さんの日記」の記事ｃよりも後に記載されていた。つまり、「Ａ子さんの日記」の記事ｂは、「Ａ子さんの日記」の記事ｃよりも新しい、
・「Ａ子さんの日記」の記事ｂをユーザａが閲覧する前に、ユーザｂやユーザｃも「Ａ子さんの日記」の記事ｂ及びｃを閲覧し、評価していた、
・ユーザｂは記事ｂを「おもしろい」と評価し、ユーザｃは記事ｂを「ふつう」と評価していた、
・ユーザｂもユーザｃも記事ｃを「おもしろい」と評価していた、
とする。つまり、記事ｂは「おもしろい」という評価が１つだが、記事ｃは「おもしろい」という評価が２つである。それゆえ、ユーザａの未読リストにおいて「おもしろい」という評価が多い記事ｃを、新しい記事ｂよりも上位とする。そして、ユーザａが、未読リストにおいて上位とされている「Ａ子さんの日記」の記事ａを閲覧した後に、「おもしろい」ボタン６１３又は「ふつう」ボタン６１５がクリックされ、次の記事の閲覧要求が記事配信サーバ１に送信された場合に、未読リストにおいて上位とされている記事ｃが次の記事として閲覧端末３ａに配信されるとしても良い。
【００７２】
前記の如く、本実施の形態によれば、記事と、次の記事の閲覧を要求する「おもしろい」ボタン６１３と、次の記事の閲覧を要求する「ふつう」ボタン６１５を閲覧端末３の液晶画面３１に表示させ、「おもしろい」ボタン６１３がクリックされた、又は「ふつう」ボタン６１５がクリックされたという、押されたボタンの情報を記事配信サーバ１が受信するとしたので、記事の評価のための操作と、次の記事の閲覧を要求する操作とを別々に行うことをユーザに要求する必要がない。その結果、記事に対する評価をユーザから確実に受け取ることができる。
【００７３】
このようにして得られた評価を記事選択の参考のためにユーザにフィードバックしても良い。例えば、「おもしろい」と評価された記事のランキングを作成し、各ユーザが閲覧可能としても良い。また、ジャンル別、キーワード別にランキングするとしても良い。さらに、各ユーザがおもしろいと評価した記事を記事ＤＢ１１３に記憶しておき、当該ユーザがおもしろいと評価した記事の識別表示（ソーシャルブックマーク）をすることもできる。例えば、記事ａに対してユーザａとユーザｂが「おもしろい」と評価した場合に、このような評価がなされた後に記事ａを閲覧しようとすると、記事ａを「おもしろい」と評価したユーザとして「ユーザａ」と「ユーザｂ」のハンドル名が表示される。
【図面の簡単な説明】
【００７４】
【図１】本発明の一実施の形態におけるコンテンツ閲覧システムの全体構成の一例を示すブロック図である。
【図２】本実施形態における記事配信サーバ（コンテンツ配信サーバ）の構成の一例を示すブロック図である。
【図３】本実施の形態における記事ＤＢの一例を示す図である。
【図４】本実施の形態における既読リストの一例を示す図である。
【図５】本実施の形態における記事配信サーバ及び閲覧端末における処理の流れの一例を示すフローチャートである。
【図６】本実施の形態における閲覧端末の液晶画面の遷移を説明するための第１例である。
【図７】本実施の形態における閲覧端末の液晶画面の遷移例を説明するための第２例である。
【図８】本実施の形態における閲覧端末の液晶画面の遷移例を説明するための第３例である。
【図９】ソースコードの一例を説明するための図である。
【図１０】ソースコードの一例を説明するための図である。
【符号の説明】
【００７５】
１…記事配信サーバ
２…インターネット
３…閲覧端末
４…ゲートウェイサーバ
５…パケット網
１１…通信部
１２…処理部
１３…記憶部
１４…時計部
３１…液晶画面
３２…キー群
【図１】
2008071238.tif 000003
【図２】
2008071238.tif 000004
【図３】
2008071238.tif 000005
【図４】
2008071238.tif 000006
【図５】
2008071238.tif 000007
【図６】
2008071238.tif 000008
【図７】
2008071238.tif 000009
【図８】
2008071238.tif 000010
【図９】
2008071238.tif 000011
【図１０】
2008071238.tif 000012